(57)【要約】      （修正有）【課題】操作性に優れ、ストレート矯正及びカール矯正を容易に行うことができるヘアアイロンを提供する。【解決手段】回動軸７を備える把持部２と、前記回動軸７を中心として回動可能に前記把持部２に取り付けられる第１のアーム部３と、前記把持部２に固定して取り付けられる第２のアーム部４と、前記第１のアーム部３の外側に配されるカール部１２を有して前記回動軸７を中心として回動可能に前記把持部２に取り付けられる回動部１１と、前記回動軸７近傍に設けられて前記カール部１２を前記第１のアーム部３に対して離間可能な状態と離間不能な状態とに切り替える切替部１３と、を備えることとする。【選択図】図１
0003178348.tif 000002
【実用新案登録請求の範囲】
【請求項１】
回動軸を備える把持部と、
前記回動軸を中心として回動可能に前記把持部に取り付けられる第１のアーム部と、
前記把持部に固定して取り付けられる第２のアーム部と、
前記第１のアーム部の外側に配されるカール部を有して前記回動軸を中心として回動可能に前記把持部に取り付けられる回動部と、
前記回動軸近傍に設けられて前記カール部を前記第１のアーム部に対して離間可能な状態と離間不能な状態とに切り替える切替部と、
を備えることを特徴とするヘアアイロン。
【請求項２】
前記切替部は切替軸と切替スイッチとを備え、前記切替スイッチの押下動作に伴って前記切替軸が前記切替軸の軸方向に移動することで前記カール部を前記第１のアーム部に対して離間可能な状態と離間不能な状態とに切り替えることを特徴とする請求項１に記載のヘアアイロン。
【請求項３】
前記切替軸は直径の大きい径大部と直径の小さい径小部とを有する段付形状に形成され、前記径大部が前記回動部に干渉することで前記カール部を前記第１のアーム部に対して離間不能な状態にすることを特徴とする請求項２に記載のヘアアイロン。
【請求項４】
前記第１のアーム部は湾曲した外周面を有する半円柱状に形成され、前記カール部は前記外周面に沿って湾曲形成されることを特徴とする請求項１〜請求項３のいずれか１項に記載のヘアアイロン。
【考案の詳細な説明】
【技術分野】
【０００１】
本考案は、髪型を所望の矯正を施すために使用されるヘアアイロンに関する。
【背景技術】
【０００２】
従来より毛髪をストレートにしたり、カールさせるためにヘアアイロンが利用されている。毛髪をカールさせる方法としては、加熱された２つのアームの間に毛髪を挟んだ状態でヘアアイロンを回転させる方法が知られる（例えば特許文献１参照）。
【先行技術文献】
【特許文献】
【０００３】
【特許文献１】特開２０１１−１０４３６０号公報
【考案の概要】
【考案が解決しようとする課題】
【０００４】
特許文献１に記載されているヘアアイロンによれば、毛髪をカールさせるためにヘアアイロンを回転させなければならず手間である。従って、容易に毛髪をストレート矯正及びカール矯正できるヘアアイロンが望まれる。また、毛髪の一部をストレート矯正し、他の一部をカール矯正することも考えられるが、ヘアアロンをストレート矯正用として使用する場合と、カール矯正用として使用する場合の切り替えに手間を要すると操作性が問題になる。
【０００５】
本考案は、上述した問題点に鑑み、操作性に優れ、ストレート矯正及びカール矯正を容易に行うことができるヘアアイロンを提供することを目的とする。
【課題を解決するための手段】
【０００６】
上記目的を達成するために本考案のヘアアイロンは、回動軸を備える把持部と、前記回動軸を中心として回動可能に前記把持部に取り付けられる第１のアーム部と、前記把持部に固定して取り付けられる第２のアーム部と、前記第１のアーム部の外側に配されるカール部を有して前記回動軸を中心として回動可能に前記把持部に取り付けられる回動部と、前記回動軸近傍に設けられて前記カール部を前記第１のアーム部に対して離間可能な状態と離間不能な状態とに切り替える切替部と、を備えることを特徴とするヘアアイロン。
【０００７】
この構成によると、把持部が回動軸を有し、カール部を第１のアーム部に対して離間可能な状態と離間不能な状態とに切り替える切替部が回転軸近傍に設けられる。従って把持部を手で持った状態で容易に切替部を操作できるので、切替動作が行いやすい。
【０００８】
また、本考案は上記構成のヘアアイロンにおいて、前記切替部は切替軸と切替スイッチとを備え、前記切替スイッチの押下動作に伴って前記切替軸が前記切替軸の軸方向に移動することで前記カール部を前記第１のアーム部に対して離間可能な状態と離間不能な状態とに切り替えることが望ましい。
【０００９】
この構成によると、切替スイッチを押下するだけでカール部を第１のアーム部に対して離間可能な状態と離間不能な状態とに切り替えることができる。従って、片手で切替動作を行うことができるので切替動作がより行いやすい。
【００１０】
また本考案は、上記構成のヘアアイロンにおいて、前記切替軸は直径の大きい径大部と直径の小さい径小部とを有する段付形状に形成され、前記径大部が前記回動部に干渉することで前記カール部を前記第１のアーム部に対して離間不能な状態にすることが望ましい。
【００１１】
この構成によると、切替スイッチを押して切替軸の径大部と回動部とを干渉させることによりカール部を第１のアーム部に対して離間不能な状態にすることができる。従って容易な構成で切替動作が実現できるため切替部の小型化、コストの削減、組立容易性の向上を実現することができる。
【００１２】
また、本考案は上記構成のヘアアイロンにおいて、前記第１のアーム部は湾曲した外周面を有する半円柱状に形成され、前記カール部は前記外周面に沿って湾曲形成されることが望ましい。
【００１３】
この構成によると、第１のアーム部は外周面が湾曲した半円柱状に形成されるとともにカール部が湾曲形成されているので容易に毛髪をカール矯正することができる。また、カール部を第１のアーム部の外周面に沿って配したときにカール部が目立たず意匠性に優れる。
【考案の効果】
【００１４】
本考案によると、把持部が回動軸を有し、カール部をアーム部に対して離間可能な状態と離間不能な状態とに切り替える切替部が回転軸近傍に設けられる。従って把持部を手で持った状態で容易に切替部を操作できるので、切替動作が行いやすい。
【図面の簡単な説明】
【００１５】
【図１】本考案の実施形態に係るヘアアイロンを示す第１の側面図
【図２】本考案の実施形態に係るヘアアイロンを示す第２の側面図
【図３】本考案の実施形態に係るヘアアイロンの使用状態を示す第１の部分拡大図
【図４】本考案の実施形態に係るヘアアイロンの使用状態を示す第２の部分拡大図
【図５】本考案の実施形態に係るヘアアイロンの機構を示す分解斜視図
【図６】本考案の実施形態に係るヘアアイロンの切替機構を示す第１の模式図
【図７】本考案の実施形態に係るヘアアイロンの切替機構を示す第２の模式図
【考案を実施するための形態】
【００１６】
以下に本考案の実施形態について図面を参照して説明する。図１、図２は本考案の実施形態に係るヘアアイロンを示す第１の側面図、第２の側面図である。ヘアアイロン１は把持部２、第１のアーム部３、第２のアーム部４、回動部１１を備える。
【００１７】
把持部２の一端部（図１の紙面に向かって左端部）には電源コード５が接続される。電源コード５は商用電源等の電力供給源に接続されてヘアアイロン１に電力を供給する。把持部２には操作部６が設けられ、操作部６を操作することでヘアアイロン１の電源のＯＮ／ＯＦＦ、後述するヒータの温度の調整等を行うことができる。また把持部２の他端部には回動軸７が設けられる。
【００１８】
第１のアーム部３及び第２のアーム部４は一端が把持部２に取り付けられる。第１のアーム部３は把持部２に取り付けられた状態で、回動軸７を中心として回動可能に支持される。一方、第２のアーム部４は把持部２に固定して取り付けられる。第１のアーム部３及び第２のアーム部４はいずれも湾曲した外周面を有する半円柱状に形成される。第１のアーム部３及び第２のアーム部４の内部にはヒータ８が配されている。電源コード５を介してヘアアイロン１に電力が供給され、操作部６によってヒータ８の温度が所定の温度に設定されると、ヒータ８が発熱して第１のアーム部３及び第２のアーム部４が加熱される。
【００１９】
ヒータは特に限られるものではないが、例えばＰＴＣ（Ｐｏｓｉｔｉｖｅ  Ｔｅｍｐｅｒａｔｕｒｅ  Ｃｏｅｆｆｉｃｉｅｎｔ  Ｈｅａｔｅｒ）が使用される。本実施形態においてヒータ８は第１のアーム部３及び第２のアーム部４の内部に配されているが、第１のアーム部３のみに配されることとしてもよい。
【００２０】
第１のアーム部３及び第２のアーム部４の他端には先端部９、１０が設けられる。先端部９、１０は断熱性を有する素材から構成される。これにより、ヒータ８から発せられる熱によって先端部９、１０が熱くなるのを防ぐことができる。
【００２１】
回動部１１はカール部１２を有し、カール部１２は第１のアーム部３の外側に配される。より詳説すればカール部１２は湾曲形成されて第１のアーム部３の外周面に沿って配される。またカール部１２は肉薄に形成されるので、カール部１２と第１のアーム部３が密接している状態においてカール部１２は外部から視認しにくい。従ってヘアアイロン１の意匠性を損ねることがない。
【００２２】
回動部１１は回動軸７を中心として回動可能に把持部２に取り付けられる。回動部１１は押圧部１１ｃを備え、押圧部１１ｃは回動軸７の上方から操作部６に向かって突き出すように形成される。これによって操作部６と押圧部１１ｃの距離が近くなるので、例えば把持部２を手で把持したときに、操作部６と押圧部１１ｃを共に親指で操作可能とすることができる。
【００２３】
把持部２の回動軸７近傍には切替部１３が設けられる。切替部１３はカール部１２を第１のアーム部３に対して離間可能な状態と離間不能な状態とに切り替える切替手段である。図３及び図４は本考案の実施形態に係るヘアアイロンの使用状態を示す第１の部分拡大図、第２の部分拡大図である。
【００２４】
カール部１２が第１のアーム部３に対して離間可能な状態であるときに押圧部１１ｃを押圧すると、図３に示すようにカール部１２は第１のアーム部３から離間して回動軸７を中心として回動する。一方、カール部１２が第１のアーム部３に対して離間不能な状態であるときに押圧部１１ｃを押圧すると、図４に示すようにカール部１２は第１のアーム部３と共に回動軸７を中心として回動する。
【００２５】
つまり第１のアーム部３はカール部１２が離間不能であるときに回動部１１とともに回動し、カール部１２が離間可能であるときは回動部１１の回動動作とともに回動しない。
【００２６】
ここでヘアアイロン１の使用方法について説明する。カール部１２が第１のアーム部３に対して離間不能であるときは、第１のアーム部３を回動させて、第１のアーム部３と第２のアーム部４の間に毛髪を挟む。第１のアーム部３の内周面及び第２のアーム部４の内周面は矩形状に形成されており、両者に挟まれた毛髪は直線状に保持された状態で第１のアーム部３及び第２のアーム部４によって加熱される。これによって毛髪をストレート矯正することができる。
【００２７】
一方、カール部１２が離間可能であるときは、カール部１２を第１のアーム部３から離間させて、カール部１２と第１のアーム部３の間に毛髪を挟む。第１のアーム部３の外周面は湾曲形成されており、また、カール部１２も湾曲形成されているので、両者に挟まれた毛髪は湾曲した状態で第１のアーム部３によって加熱される。これによって毛髪をカール矯正することができる。
【００２８】
図５を参照して切替部１３について詳説する。図５は本考案の実施形態に係るヘアアイロンの機構を示す分解斜視図である。図５に示すように切替部１３は切替軸１３ａと切替軸１３ａの両端に配される切替スイッチ１３ｂを備える。
【００２９】
第１のアーム部３及び第２のアーム部４は夫々アーム本体部３１、４１と連結部３２、４２を備える。連結部３２、４２及び回動部１１には夫々回動軸７が挿入される回動軸挿入孔３２ａ、４２ａ、１１ａと、切替軸１３ａが挿入される切替軸挿入孔３２ｂ、４２ｂ、１１ｂが設けられる。
【００３０】
回動軸７は各回動軸挿入孔３２ａ、４２ａ、１１ａに挿入された状態で固定される。一方、切替軸１３ａは各切替軸挿入孔３２ｂ、４２ｂ、１１ｂに挿入された状態で、切替スイッチ１３ｂを押することにより切替軸１３ａの軸方向に移動可能に設けられる。
【００３１】
切替軸挿入孔４２ｂは組立時に切替軸１１ａが挿入される主孔４２１と、主孔４２１から周方向（切替軸１３ａの軸方向に垂直な方向）に延びて周方向に進むにつれて先細り形状になる絞り孔４２２を有する。そして切替軸１３ａが切替軸挿入孔４２ａ内を切替軸１３ａの軸方向に垂直な方向（図５の紙面に対して上方向）に移動することにより、第１のアーム部３が回動軸７を中心に回動する。
【００３２】
なお、切替軸挿入孔３２ｂは主孔３２１のみを有する。つまり切替軸１３ａは切替軸挿入孔３２ｂ内を切替軸１３ａの軸方向に垂直な方向に移動することができない。従って、第２のアーム部４は回動軸７を中心に回動することがなく、上述したように第２のアーム部４は把持部２に対して固定して取り付けられているということができる。
【００３３】
また、切替軸挿入孔１１ｂ組立時に切替軸１１ａが挿入される主孔１１１と、主孔１１１から周方向（切替軸１３ａの軸方向に垂直な方向）に延びて周方向に進むにつれて先細り形状になる絞り孔１１２を有する。そして切替軸１３ａが切替軸挿入孔１１ｂ内を切替軸１３ａの軸方向に垂直な方向（図５の紙面に対して下方向）に移動することにより、カール部１２を有する回動部１１のみが回動軸７を中心に回動する。
【００３４】
つまりカール部１２を第１のアーム部３に対して離間不能な状態としたときは、切替軸１３ａが切替軸挿入孔４２ｂ内を移動することにより、第１のアーム部３が回動部１１と共に回動軸７を中心として回動する。一方、カール部１２を第１のアーム部３に対して離間可能な状態としたときは、切替軸１３ａの位置が固定された状態で切替軸挿入孔１１ｂが移動することにより、第１のアーム部３を回動させることなくカール部１２のみが回動軸７を中心として回動する。
【００３５】
図６及び図７を参照して切替機構（カール部１２を第１のアーム部３に対して離間不能な状態と離間可能な状態とに切り替える方法）について詳説する。図６、図７は本考案の実施形態に係るヘアアイロンの切替機構を示す第１の模式図、第２の模式図である。
【００３６】
図６及び図７は連結部３２、４２、回動部１１を組み合わせて各切替軸挿入孔３２ｂ、４２ｂ、１１ｂに切替軸１３ａを挿入した状態を示す断面模式図である。切替軸１３ａは直径の長い（大きい）径大部５０と直径の短い（小さい）径小部５１を備える段付形状に形成される。径大部５０と径小部５１は同心状に形成される。径大部５０と径小部５１は一体成型されることとしてもよいし、別部品を組み合わせて形成する（例えば円柱状の径小部５１をリング状の径大部５０に挿通して形成する）こととしてもよい。
【００３７】
径大部５０の直径は主孔１１１、３２１、４２１に挿入可能とするため主孔１１１、３２１、４２１の直径よりもやや短く（小さく）、絞り孔１１２、４２２の短径よりも長く（大きく）なるように形成される。一方径小部５１の直径は主孔１１１、３２１、４２１の直径及び絞り孔１１２、４２２の短径よりも短く（小さく）なるように形成される。
【００３８】
径大部５０は切替軸１３ａの軸方向に長尺の径大部５０ａと切替軸１３ａの軸方向に短尺の径大部５０ｂ、５０ｃを備える。図６及び図７に示す構成において径大部５０ａは連結部３２の切替軸挿入孔３２ｂの主孔３２１内に位置している。これにより切替軸１３ａがどの位置に位置していても第２のアーム部４を把持部２に対してしっかりと固定することができる。
【００３９】
図６において径小部５０ｂ及び５０ｃは回動部１１の切替軸挿入孔１１ｂの主孔１１１内に位置する。上述したように径大部５０ｂ、５０ｃの直径は、絞り孔１１２の短径よりも長い。従って、切替軸１３ａは切替軸挿入孔１１ｂ内を移動することができず、この状態では回動部１１が回動軸７を中心として回動しない。
【００４０】
一方、連結部４２の回動軸挿入孔４２ｂの主孔４２１内に位置する径大部５０は存在しない（言い換えれば径小部５１が主孔４２１内に位置している。）。上述したように径小部５１の直径は、絞り孔４２２の短径よりも短い。従って、切替軸１３ａは切替軸挿入孔４２ｂ内を移動することができるので、第１のアーム部３は回動軸７を中心として回動可能である。よって切替軸１６ａが図６に示す位置に位置するときに回動部１１のみが単独で回動軸７を中心として回動しない、言い換えればカール部１２が第１のアーム部３に対して離間不能とされるので、第１のアーム部３が回動部１１と共に回動軸７を中心として回動する。
【００４１】
図７において径大部５０ｂはいずれの主孔内にも位置しないが、径大部５０ｃは主孔４２１内に位置する。上述したように径大部５０ｃの直径は、絞り孔３２２の短径よりも長い。従って、切替軸１３ａは切替軸挿入孔４２ｂ内を移動することができず、この状態では第１のアーム部３が回動軸７を中心として回動しない。
【００４２】
一方、主孔１１１内に位置する径大部５０は存在しない（言い換えれば径小部５１が主孔１１１内に位置している。）。上述したように径小部５１の直径は、絞り孔１１２の短径よりも短い。従って、切替軸１３ａは切替軸挿入孔１１ｂ内を移動することができるので、回動部１１は回動軸７を中心として回動可能である。よって切替軸１６ａが図７に示す位置に位置するときはカール部１２が第１のアーム部３に対して離間可能であるため、回動部１１のみが回動軸７を中心として回動する。
【００４３】
本実施形態によれば、把持部２が回動軸７を有し、カール部１２を第１のアーム部３に対して離間可能な状態と離間不能な状態とに切り替える切替部１３が回転軸７近傍に設けられる。従って把持部２を手で持った状態で容易に切替部１３を操作できるので、切替動作が行いやすい。
【００４４】
また、切替スイッチ１３ｂを押下するだけでカール部１２を第１のアーム部３に対して離間可能な状態と離間不能な状態とに切り替えることができる。従って、片手で切替動作を行うことができるので切替動作がより行いやすい。
【００４５】
また、切替スイッチ１３ｂを押して切替軸１３ａの径大部５０ｃと回動部１１とを干渉させる（径大部５０ｃを回動部１１の切替軸挿入孔１１ｂの主孔１１１内に位置させる）ことによりカール部１２を第１のアーム部３に対して離間不能な状態にすることができる。従って容易な構成で切替動作が実現できるため切替部の小型化、コストの削減、組立容易性の向上を実現することができる。
【００４６】
また、第１のアーム部３は外周面が湾曲した半円柱状に形成されるとともにカール部１２が湾曲形成されているので容易に毛髪をカール矯正することができる。また、カール部１２を第１のアーム部３の外周面に沿って配したときにカール部１２が目立たず意匠性に優れる。
【産業上の利用可能性】
【００４７】
本考案は髪型を所望の矯正を施すために使用されるヘアアイロンに利用することができる。
【符号の説明】
【００４８】
１                      ヘアアイロン
２                      把持部
３                      第１のアーム部
４                      第２のアーム部
５                      電源コード
６                      操作部
７                      回転軸
８                      ヒータ
９、１０                先端部
１１                    回動部
１１ａ、３２ａ、４２ａ  回動軸挿入孔
１１ｂ、３２ｂ、４２ｂ  切替軸挿入孔
１１ｃ                  押圧部
１１１、３２１、４２１  主孔
１１２、４２２          絞り孔
１２                    カール部
１３                    切替部
１３ａ                  切替軸
１３ｂ                  切替スイッチ
３１、４１              アーム本体部
３２、４２              連結部
【図１】
0003178348.tif 000003
【図２】
0003178348.tif 000004
【図３】
0003178348.tif 000005
【図４】
0003178348.tif 000006
【図５】
0003178348.tif 000007
【図６】
0003178348.tif 000008
【図７】
0003178348.tif 000009